(57)【要約】【課題】簡単な構造でレンズ枠の位置調整のために必要なスペースを抑えて小型化を図ることが可能なレンズ鏡筒を提供する。【解決手段】調整レンズを他のレンズに対して光軸方向に位置調整するレンズ鏡筒を設ける。レンズ鏡筒は、調整レンズを保持するレンズ枠１とレンズ枠１を調整可能に保持するベース枠２とを備える。レンズ枠１は、レンズ枠１の回転方向に隣接して高さを異ならせて設けられた複数の調整面を有する第１調整階段面と、第２調整階段面とを備える。第２調整階段面は、第１調整階段面を設けた位置から１８０度回転位相位置に設けられている。ベース枠２は、第１調整階段面１１と第２調整階段面１２と当接する支持面を備える。調整レンズには切り欠き部が設けられており、支持面の少なくとも一部が、調整レンズに設けられた切り欠き部に対して光軸方向から見て重なった位置に配置される。【選択図】図１
2013125227.tif 000002
【特許請求の範囲】
【請求項１】
光学系が有する複数のレンズが含む調整レンズを他のレンズに対して光軸方向に位置調整するレンズ鏡筒であって、
前記調整レンズを保持する第１の保持枠と、
前記第１の保持枠を調整可能に保持する第２の保持枠とを備え、
前記第１、第２の保持枠のうちのいずれか一方の保持枠は、該保持枠の回転方向に隣接して高さを異ならせて設けられた複数の調整面を有する第１調整面群と、該第１調整面群とは異なる調整面群であって、前記回転方向に隣接して高さを異ならせて設けられた複数の調整面からなる第２調整面群とを備えており、
前記第２調整面群は、前記第１調整面群を設けた位置から１８０度回転位相位置に設けられており、
前記第１、第２の保持枠のうちの、前記第１調整面群と前記第２調整面群とが設けられた保持枠とは異なる保持枠には、前記第１調整面群または前記第２調整面群と当接する支持部が設けられており、
前記調整レンズには切り欠き部が設けられており、
前記支持部の少なくとも一部が、前記調整レンズに設けられた前記切り欠き部に対して前記光軸方向から見て重なった位置に配置される
ことを特徴とするレンズ鏡筒。
【請求項２】
前記第１の保持枠または前記第２の保持枠に、該第１の保持枠と該第２の保持枠とを固定する第１の固定部材が設けられており、
前記第１の固定部材の少なくとも一部が、前記調整レンズに設けられた前記切り欠き部に対して前記光軸方向から見て重なった位置に配置される
ことを特徴とする請求項１に記載のレンズ鏡筒。
【請求項３】
前記第１の保持枠と前記第２の保持枠のうちの、前記第１の固定部材が設けられた保持枠とは異なる保持枠に、接着溝が設けられており、
前記第１の保持枠と前記第２の保持枠とは、前記第１の固定部材と前記接着溝との間に接着剤を塗布することによって固定され、
前記接着溝は、前記調整レンズに設けられた前記切り欠き部に対して前記光軸方向から見て重なった位置に配置される
ことを特徴する請求項２に記載のレンズ鏡筒。
【請求項４】
前記第２の保持枠に固定されるカバー部材を備え、
前記第２の保持枠または前記カバー部材には、該第２の保持枠と該カバー部材とを固定する第２の固定部材が設けられており、
前記第２の固定部材の少なくとも一部が、前記調整レンズに設けられた前記切り欠き部に対して前記光軸方向から見て重なった位置に配置される
ことを特徴とする請求項１乃至３のいずれか１項に記載のレンズ鏡筒。
【請求項５】
前記第１、第２の保持枠のうちの、前記第１調整面群と前記第２調整面群とが設けられた保持枠とは異なる保持枠が備える前記支持部は、前記第１調整面群と前記第２調整面群とが設けられた保持枠が、前記支持部が前記第１調整面群と当接する位置から１８０度回転位相位置で該支持部を備える前記保持枠に載置された場合に、前記第２調整面群と当接する
ことを特徴とする請求項１乃至４のいずれか１項に記載のレンズ鏡筒。
【請求項６】
請求項１乃至５のいずれか１項に記載のレンズ鏡筒を備える
ことを特徴とする撮像装置。
【発明の詳細な説明】
【技術分野】
【０００１】
本発明は、レンズ鏡筒および撮像装置に関する。
【背景技術】
【０００２】
近年、カメラやビデオカメラ等の撮像装置は、高倍率化と、小型化とが進んでいる。撮像装置の高倍率化を実現するために、撮像装置が備えるレンズ自体の径が大きくなりつつある。また、撮像装置の小型化が進むにつれて、光学性能を満足するためにレンズの位置精度が向上してきている。
【０００３】
レンズ鏡筒を構成する部品の精度やレンズ性能を向上させるだけでは、撮像装置の光学性能を満足することができないので、個々の鏡筒に合わせてレンズ位置を調整する必要がある。例えば、レンズ軸を調芯するような偏芯調整や、レンズ軸の傾きを調整する傾き調整、あるいは、隣接するレンズとのレンズ間隔を調整するトラッキング調整などが提案されている。
【０００４】
特許文献１は、周方向に階段状に３組の調整段差面が形成されたレンズ枠を有するレンズ鏡筒における、レンズの移動調整方法を開示する。この移動調整方法は、レンズ枠を回転させることによって、保持部材に対して当接させる調整段差面を変化させることで、光軸方向高さの調整を行う。
【先行技術文献】
【特許文献】
【０００５】
【特許文献１】特開２００９−２３７４０９号公報
【発明の概要】
【発明が解決しようとする課題】
【０００６】
特許文献１が開示するレンズ枠には、レンズの外周側にビスを挿入するための貫通孔が設けられている。そして、レンズの調整位置に合わせて、レンズ枠を回転させ、その位置において３か所のビス止めをすることによって、レンズ枠を固定する。
【０００７】
しかし、特許文献１が開示するレンズの移動調整方法を実現するためには、調整に必要な回転角度分、レンズ枠の固定のためのビス孔を設ける必要がある。具体的には、１２０度×３か所＝３６０度だけ、ビス孔を設ける必要がある。従って、このレンズの移動調整方法を実現するためには、レンズの外周部のスペース確保が必要となる。
【０００８】
また、レンズ枠の固定をビスではなく接着等で行うことも考えられる。しかし、レンズ枠の固定を接着等で行う場合においても、接着等を行おうとするスペースをレンズ枠が回転する範囲だけ確保する必要がある。ビス孔を設けるスペースや、接着等を行おうとするスペースを狭くするためにレンズ枠が回転する範囲を狭めようとした場合には、調整段差面の数を減らすことにつながって、レンズの調整が不十分となる問題が生じる。
【０００９】
すなわち、従来のレンズ鏡筒では、レンズの外周部にレンズ枠固定のための広いスペースが必要であって、レンズ枠の固定以外の構成部品、例えばバリアユニット等の配置をするスペースの確保が難しかった。また、レンズ枠の固定以外の構成部品を配置する分だけ鏡筒径を大きくする必要があった。
【００１０】
本発明は、簡単な構造でレンズ枠の位置調整のために必要なスペースを抑えて小型化を図ることが可能なレンズ鏡筒の提供を目的とする。
【課題を解決するための手段】
【００１１】
本発明の一実施形態のレンズ鏡筒は、光学系が有する複数のレンズが含む調整レンズを他のレンズに対して光軸方向に位置調整するレンズ鏡筒である。前記レンズ鏡筒は、前記調整レンズを保持する第１の保持枠と、前記第１の保持枠を調整可能に保持する第２の保持枠とを備える。前記第１、第２の保持枠のうちのいずれか一方の保持枠は、該保持枠の回転方向に隣接して高さを異ならせて設けられた複数の調整面を有する第１調整面群と、該第１調整面群とは異なる調整面群であって、前記回転方向に隣接して高さを異ならせて設けられた複数の調整面からなる第２調整面群とを備えている。前記第２調整面群は、前記第１調整面群を設けた位置から１８０度回転位相位置に設けられている。前記第１、第２の保持枠のうちの、前記第１調整面群と前記第２調整面群とが設けられた保持枠とは異なる保持枠には、前記第１調整面群または前記第２調整面群と当接する支持部が設けられている。前記調整レンズには切り欠き部が設けられており、前記支持部の少なくとも一部が、前記調整レンズに設けられた前記切り欠き部に対して前記光軸方向から見て重なった位置に配置される。
【発明の効果】
【００１２】
本発明のレンズ鏡筒によれば、簡単な構造でレンズ枠の位置調整のために必要なスペースを抑えることができる。これにより、レンズ鏡筒の小型化を図ることが可能となる。
【図面の簡単な説明】
【００１３】
【図１】本実施形態のレンズ鏡筒の分解斜視図の一例を示す図である。
【図２】調整レンズを保持するレンズ枠の一例を示す図である。
【図３】ベース枠と調整レンズとの関係を説明する図である。
【図４】レンズ枠およびベース枠の断面の一例を示す図である。
【図５】トラッキング調整時における調整面と支持面との当接状態の変化を説明する図（１）である。
【図６】トラッキング調整時における調整面と支持面との当接状態の変化を説明する図（２）である。
【発明を実施するための形態】
【００１４】
以下に、図面を参照して、本実施形態のレンズ鏡筒について説明する。図１は、本実施形態のレンズ鏡筒の分解斜視図の一例を示す図である。図２は、調整レンズを保持するレンズ枠の一例を示す図である。図３は、ベース枠と調整レンズとの関係を説明する図である。図４は、レンズ枠およびベース枠の断面の一例を示す図である。本実施形態の撮像装置は、以下に説明する本実施形態のレンズ鏡筒を備える。
【００１５】
本実施形態のレンズ鏡筒は、鏡筒を構成する不図示の他のレンズ群に対して、調整レンズを光軸方向へ移動させ、あるいは調整レンズの光軸を基準軸に対して傾けることで、光学性能を満たす位置に調整する。すなわち、レンズ鏡筒は、光学系が有する複数のレンズが含む調整レンズを他のレンズに対して光軸方向の位置を調整可能な位置調整構造を有する。なお、以下の説明において、光軸方向への移動による調整をトラッキング調整と記載し、調整レンズの光軸を基準軸に対して傾ける調整を傾き調整と記述する。
【００１６】
図３は、ベース枠と調整レンズとの関係を示す図である。Ｌ１は、位置調整される調整レンズである。図３に示すように、調整レンズＬ１は、φＤの丸形状から上下方向の２辺部Ｌ１ａ，Ｌ１ｂ、および左右方向の２辺部Ｌ１ｃ，Ｌ１ｄがカットされた形状を有する。レンズ枠１は、調整レンズＬ１を保持する（第１の保持枠である）。
【００１７】
図２（Ａ）に示すように、レンズ枠１は，径方向に延出した４つの固定部材である固定腕部１ａ，１ｂ，１ｃ，１ｄを備えており、１８０度回転対称形状を有する。固定腕部は、調整レンズを調整された位置において、固定腕部１ａ，１ｂ，１ｃ，１ｄに接着剤を塗布し固定するための腕である。
【００１８】
また、レンズ枠１が調整レンズＬ１を保持している状態における、当該調整レンズＬ１が保持されている部分（保持部）の外周面には、図２（Ｂ）に示すように、第１調整階段面１１と第２調整階段面１２とが設けられている。第１調整階段面１１は、レンズ枠１の回転方向に隣接して高さを異ならせて設けられた複数の調整面を有する第１調整面群として機能する。この例では、第１調整階段面１１は、３つの調整面１ｅ，１ｆ，１ｇを有する。第１調整階段面１１が有する各々の調整面は、トラッキング調整幅に合わせて高さを違えて並べられている。
【００１９】
第２調整階段面１２は、レンズ枠１の回転方向に隣接して高さを異ならせて設けられた複数の調整面を有する第２調整面群として機能する。この例では、第２調整階段面１２は、３つの調整面１ｈ，１ｉ，１ｊを有する。第２調整階段面１２が有する各々の調整面は、第１調整階段面１１のトラッキング調整幅とは異なるトラッキング調整幅に合わせて高さを違えて並べられている。第２調整階段面１２は、第１調整階段面１１を設けた位置から１８０度回転位相位置に設けられている。
【００２０】
また、レンズ枠１は、レンズカット部Ｌ１ａ、Ｌ１ｂ、Ｌ１ｃ、Ｌ１ｄのいずれかと光軸方向から見て重なる位置に設けられた接着溝１ｋ，１ｌ（図２（Ａ）、図５、図６）を備える。
【００２１】
ベース枠２は、レンズ枠１を調整可能に保持する（第２の保持枠である）。ベース枠２が調整レンズＬ１以外の他のレンズ群（不図示）と連結することによって、本実施形態のレンズ鏡筒は、複数のレンズ群からなる鏡筒として構成される。
【００２２】
ベース枠２の内周部には、支持面２ａ、２ｂ、２ｃが、１２０度等分で３か所設けられている。支持面２ａ乃至２ｃは、レンズ枠１の第１調整階段面１１または第２調整階段面１２と当接することによって、レンズ枠１を支持する支持部として機能する。
【００２３】
図３に示されるように、支持面２ａ，２ｂ，２ｃのうち少なくとも一部が、調整レンズＬ１のレンズカット部Ｌ１ａ，Ｌ１ｂ，Ｌ１ｃ，Ｌ１ｄのいずれかと光軸方向から見て重なる位置に設けられている。これにより、支持面２ａ，２ｂ，２ｃを調整レンズＬ１の外径φＤよりも外側に設ける必要がなくなり、鏡筒の小型化を図ることができる。
【００２４】
また、ベース枠２は、第１の固定部材として機能する固定凸部２ｊ、２ｋを備える。固定凸部２ｊ、２ｋは、調整レンズＬ１のレンズカット部Ｌ１ａ，Ｌ１ｂと光軸方向から見て重なる位置に設けている。固定凸部２ｊ，２ｋと、レンズ枠１に設けられた接着溝１ｋ，１ｌとの間に接着剤を塗布することで、レンズ枠１とベース枠２とが固定される。なお、レンズ枠１とベース枠２とを固定するための固定凸部が、レンズ枠１に設けられていてもよい。固定凸部がレンズ枠１に設けられている場合、前述した接着溝１ｋ，１ｌを、レンズ枠１にではなく、ベース枠２に設けるようにする。すなわち、第１の保持枠と第２の保持枠のうちの、第１の固定部材が設けられた保持枠とは異なる保持枠に、接着溝が設けられている。
【００２５】
また、ベース枠２は、カバー部材３を固定する第２の固定部材として機能するビス座２ｈ，２ｉを備える。ビス座２ｈ，２ｉの少なくとも一部が、調整レンズＬ１のレンズカット部Ｌ１ａ，Ｌ１ｂと光軸方向から見て重なる位置に設けられている。なお、ビス座が、カバー部材３に設けられていてもよい。
【００２６】
本実施形態では、レンズ枠１すなわち第１の保持枠が第１調整階段面と第２調整階段面を備えているが、レンズ枠１ではなく、ベース枠２すなわち第２の保持枠が第１調整階段面と第２調整階段面とを備えていてもよい。すなわち、第１、第２の保持枠のうちのいずれか一方の保持枠は、第１調整面群と第２調整面群とを備えている。
【００２７】
カバー部材３は、鏡筒内を通過して撮像素子に届く光束を遮らないように設けられた開口部を中央に有する。カバー部材３は、レンズ枠１の被写体側に設けられている。
【００２８】
カバー部材３は、ビス締め用孔３ｂ、３ｃにおいてビス４によって、また、図４（Ａ）に示されるように光軸方向に延出したフック形状をした係止部３ｇ、３ｈによって、ベース枠２に固定されている。ビス締め用孔３ｂ、３ｃおよび係止部３ｇ、３ｈは、調整レンズＬ１のレンズカット部（Ｌ１ａ，Ｌ１ｂ，Ｌ１ｃ，Ｌ１ｄ）のいずれかと光軸方向から見て重なる位置に設けられている。これにより、ビス締め用孔３ｂ、３ｃおよび係止部３ｇ、３ｈをレンズφＤよりも外周部に設けなくてもよくなり、鏡筒の小型化を図ることができる。
【００２９】
図４（Ａ）は、図３のＡ−Ａ線断面図の例である。カバー部材３は、外周リブ３ｄや、耳部３ｅ，３ｆを用いて、レンズ鏡筒に取り付け可能なアクセサリー（例えば、レンズフードやレンズフィルタ、レンズキャップ、コンバーターレンズなど）を取り付け可能に構成されている。カメラ（撮像装置）の使用者によってアクセサリーの取り付け等が行われるとカバー部材３には大きな力がかかるため、ベース枠２との固定にはビス締めを行い、容易に部品が外れたり壊れたりしてしまうのを防いでいる。
【００３０】
図４（Ｂ）は、レンズ枠およびベース枠の断面の一例を示す図である。図４（Ｂ）を参照して、レンズ枠１の第１調整階段面１１または第２の調整階段面１２と、ベース枠２の支持面２ａ乃至２ｃとの当接に関して説明する。なお、図４（Ｂ）は、第１調整面１ｆと、支持面２ａとが当接する状態を示している。
【００３１】
レンズ枠１を、第１調整階段面１１が有する３つの調整面１ｅ，１ｆ，１ｇの幅分だけ回転させることによって、順次、ベース枠２の支持面２ａ，２ｂ，２ｃと当接する位置が変わる。これにより、調整レンズＬ１の光軸方向の高さが変更し、トラッキング調整がされる。
【００３２】
また、調整面１ｅ，１ｆ，１ｇは、所定の基準位置からのＲ面形状にて作成されている。従って、調整面をフラットな斜面からなるベース枠２の支持面２ａ、２ｂ、２ｃに対して当接させると、所定の基準位置を中心に、Ｒ上で光軸Ｏを傾かせることができる。これにより、傾き調整が可能となる。支持面は、レンズ枠１を安定的に支持するために１２０度等分の３か所に設けられているが、必ずしも１２０度等分である必要はない。
【００３３】
この例では、ベース枠２が支持面を有しているが、ベース枠２が第１調整階段面と第２調整階段面とを備え、レンズ枠１が支持面を備えるようにしてもよい。すなわち、第１、第２の保持枠のうちの、第１調整階段面と第２調整階段面とが設けられた保持枠とは異なる保持枠は、第１調整階段面または第２調整階段面と当接する支持部を備える。
【００３４】
図５および図６は、トラッキング調整時における調整面と支持面との当接状態の変化を説明する図である。図５（Ａ）は、調整面１ｅと支持面２ａ、２ｂ、２ｃとが当接する状態を示す。図５（Ｂ）は、調整面１ｆと支持面２ａ、２ｂ、２ｃとが当接する状態を示す。図６は、調整面１ｇと支持面２ａ、２ｂ、２ｃとが当接する状態を示す。
【００３５】
トラッキング調整および傾き調整を終えたレンズ枠１は、ベース枠２に対して接着により固定される。ここで、図５および図６中に示す２ｄ，２ｅ，２ｆ，２ｇの範囲で接着剤を塗布するように設定しておくと、図５および図６に示すいずれの状態でも確実に固定腕部１ａ、１ｂ，１ｃ，１ｄ上に接着剤が塗布される。これにより、レンズ枠１をベース枠２に対して確実に固定することが可能となる。すなわち、レンズ枠１とベース枠２とは、接着剤が塗布された固定腕部によって固定される。
【００３６】
接着剤の塗布範囲２ｄ，２ｅ，２ｆは、固定腕部の幅と、トラッキング調整に使用されているレンズ枠１の回転量とによって決まる。すなわち、トラッキング調整のためのレンズ枠１の回転量が少なくなれば、その分接着剤の塗布範囲を狭めることが可能となる。本実施の形態においては、さらに、調整レンズＬ１の円弧からカットされたＬ１ａ，Ｌ１ｂ部に対応する部分を利用してレンズ枠１に接着溝１ｋ，１ｌを設け、ベース枠２の固定凸部２ｊ，２ｋと接着固定を行う。
【００３７】
固定腕部に対する接着剤の塗布範囲は、固定腕部の回転方向の幅と、レンズ枠１の、トラッキング調整に必要な回転量とに基づいて決まる範囲である。トラッキング調整のためのレンズ枠１の回転量を少なくすれば、その分接着剤の塗布範囲を狭めることができる。
【００３８】
レンズ枠１には第２調整階段面１２が備えられており、第２調整階段面１２と支持面２ａ、２ｂ、２ｃとを当接させることも可能である。第２調整階段面１２は、前述のように第１調整階段面の１８０度回転位相位置に設けられている。つまり、第１調整階段面１１を支持面に当接させる状態から、レンズ枠１を１８０度回転させてベース枠２に載置すると、第２調整階段面１２が支持面に当接する。
【００３９】
すなわち、第１調整階段面と第２調整階段面とが設けられた保持枠とは異なる保持枠が備える支持面は、以下の場合に第２調整階段面と当接する。つまり、この支持面は、第１調整階段面と第２調整階段面とが設けられた保持枠が、支持面が第１調整階段面と当接する位置から１８０度回転位相位置で該支持面を備える保持枠に載置された場合に、第２調整階段面と当接する。
【００４０】
第２調整階段面１２は、第１調整階段面１１とは高さを違えて設けられたものであるから、第１調整階段面の高さでは調整しきれなかった高さ位置でトラッキング調整が可能となる。
【００４１】
また、レンズ枠１の固定腕部１ａ，１ｂ，１ｃ，１ｄは、１８０度回転対称に作られた形状である。具体的には、固定腕部１ａと固定腕部１ｃとは１８０度回転位相位置に設けられている。また、固定腕部１ｂと固定腕部１ｄとは１８０度回転位相位置に設けられている。従って、第２調整階段面１２を用いてトラッキング調整された場合においても、レンズ枠１の固定のための接着塗布範囲が図５および図６に示す２ｄ，２ｅ，２ｆ，２ｇに設定されていれば、レンズ枠１をベース枠２に確実に固定することができる。
【００４２】
なお、レンズ枠１ではなくベース枠２に調整面が設けられ、レンズ枠１に支持面が設けられている構成においては、ベース枠２が固定腕部を備えるようにしてもよい。すなわち、第１、第２の保持枠のうちの、第１調整階段面と第２調整階段面とが設けられた保持枠の外周部に、該保持枠を支持面を備える保持枠に対して固定する、複数の固定腕部が設けられている。そして、複数の固定腕部が含む各々の固定腕部は、対応する固定腕部に対して１８０度回転位相位置に設けられている。
【００４３】
以上の構成によれば、レンズ枠１を回転させることによって第１調整階段面内で調整できるうえに、さらにレンズ枠１をベース枠２に対して１８０度回転させることによって第２調整階段面内でも調整可能となっている。つまり、第１調整階段面を設置する段数分のレンズ枠回転角度のみで、第１調整階段面と第２調整階段面との２つ分の調整段数で調整可能な位置調整機構となっている。
【００４４】
具体的には、第１調整階段面１１において３段分の高さ調整が可能であり、第２調整階段面１２においてさらに別の高さで３段分の高さ調整が可能である。すなわち、本実施形態のレンズ鏡筒によれば、調整のために回転させるレンズ枠１の回転角度を少なく抑えつつ、６段分の高さ調整が可能である。
【００４５】
レンズ枠１の回転角度が小さくて済むことは、レンズ枠１を固定させるための固定腕部１ａ，１ｂ，１ｃ，１ｄの回転範囲を小さくすることにつながる。その結果、接着剤を塗布する範囲２ｄ，２ｅ，２ｆ，２ｇの範囲が狭くなる。接着塗布範囲を小さく構成できれば、調整レンズＬ１の外周部のスペースを接着以外の構成要素に使用することが可能となる。
【００４６】
本実施形態のレンズ鏡筒によれば、レンズ枠１を回転させることによって、その位置調整を可能な構成でありながら、調整可能段数の半分の段数分のレンズ枠の回転によって位置調整をすることができる。
【００４７】
さらに、本実施形態のレンズ鏡筒は、調整レンズＬ１の回転量を減らすことができるので、以下に説明する効果を奏することができる。図５および図６に示す範囲Ａは、撮像素子への光束を遮らない範囲（有効光束範囲）である。調整レンズの位置を調整し、レンズ枠が回転したいずれの位置においても範囲Ａを遮らないように調整レンズをカット（カット部Ｌ１ａ，Ｌ１ｂ，Ｌ１ｃ，Ｌ１ｄ）している。
【００４８】
レンズ枠の調整のために回転される量が大きければ大きいほど、φＤの円形形状からカット可能な面積が減ってしまう。カット可能な範囲が減れば、カットされたことによって生み出されたスペースに、レンズ調整のための部材や、アクセサリー取り付けのための部材を配置することが困難になってくる。本実施形態のレンズ鏡筒は、調整レンズＬ１の回転量を減らすことができるので、簡単な構成で調整レンズＬ１の調整量を十分確保しつつ、有効光束範囲を遮らないように円形形状からのレンズカットを可能とする。これにより、レンズカットによって得られるスペースを有効活用することができる。
【００４９】
また、有効光束範囲Ａの形状が撮像素子の形状に近い略長方形であるのは、撮像素子から最も遠い被写体側のレンズであるためである。本実施形態のレンズ鏡筒は、最も被写体側のレンズにおいて、円形形状からの切り欠き部を設けたことによって切り欠き可能な範囲を大きくしている。これにより、レンズ調整のための部材や、アクセサリー取り付けのための部材を配置することが可能となる。
【００５０】
すなわち、本実施形態のレンズ鏡筒によれば、レンズの位置調整を可能とするための部材や、先端にアクセサリ（例えばフードや、フィルター、コンバーターレンズ）を取り付け可能な構成をとりつつ、レンズ鏡筒の小径化を可能にすることができる。
【００５１】
以上説明した実施形態に限定されることなく、種々の変形や変更が可能であって、それらも本発明の範囲内である。例えば、第１調整階段面１１と第２調整階段面１２の調整面の数が違っても構わないし、第１調整階段面のうちのいずれかと、第２調整階段面のうちのいずれかで高さが同じものがあってもよい。
【００５２】
また、上述した例では、調整レンズＬ１は、トラッキング調整および傾き調整可能な構成とし、第１調整階段面はＲ形状としているが、トラッキング調整のみが可能なものでもよい。そして、第１調整階段面はフラット面で構成されていても構わない。
【００５３】
また、上述した例では、調整レンズＬ１の円形形状からの切り欠き部は、上下方向の２辺部および左右方向の２辺部としているが、カットされる場所はここに限られない。有効光束エリアを遮らない範囲であれば、どのような形状でカットされていても構わない。
【符号の説明】
【００５４】
１  レンズ枠
２  ベース枠
Ｌ１  調整レンズ
【図１】
2013125227.tif 000003
【図２】
2013125227.tif 000004
【図３】
2013125227.tif 000005
【図４】
2013125227.tif 000006
【図５】
2013125227.tif 000007
【図６】
2013125227.tif 000008